(57)【要約】【課題】本発明は、内蓋を装着し忘れた状態で通常の力で蓋体を閉めようとする動作が何度も繰り返されても、係止構造に歪を生じさせるおそれが極めて低い内蓋装着忘れ防止機能付きの炊飯器を提供することである。【解決手段】本発明に係る炊飯器１００は、本体２００、蓋体３００、内蓋５００、被係止部３０５、係止機構２０７および係止制御機構３２０，３３０，３４０を備える。蓋体は、本体に対して開閉可能に取り付けられる。内蓋は、蓋体の下面に着脱可能に装着される。被係止部は、蓋体に固定的に設けられる。係止機構は、本体に設けられる。そして、この係止機構は、被係止部を係止する。係止制御機構は、内蓋が蓋体に装着されていないときは係止機構による被係止部の係止を阻止する第一状態となり、内蓋が蓋体に装着されているときは係止機構による被係止部の係止を許容する第二状態となる。【選択図】図６
2014209984.tif 000002
【特許請求の範囲】
【請求項１】
本体と、
前記本体に対して開閉可能に取り付けられる蓋体と、
前記蓋体の下面に着脱可能に装着される内蓋と、
前記蓋体に固定的に設けられる被係止部と、
前記本体に設けられ、前記被係止部を係止する係止機構と、
前記内蓋が前記蓋体に装着されていないときは前記係止機構による前記被係止部の係止を阻止する第一状態となり、前記内蓋が前記蓋体に装着されているときは前記係止機構による前記被係止部の係止を許容する第二状態となる係止制御機構と
を備える、炊飯器。
【請求項２】
前記係止制御機構は、突出部を有し、前記第一状態では側面視において前記突出部を前記被係止部の前方および上方の少なくとも一方の方向に突出させる状態とし、前記第二状態では側面視において前記突出部を前記被係止部の前面および上面に重ならない位置まで退避させる状態とする
請求項１に記載の炊飯器。
【請求項３】
前記係止制御機構が第一状態となっている場合において前記係止機構が操作されても前記係止機構による前記被係止部の係止が阻止される
請求項１または２に記載の炊飯器。
【発明の詳細な説明】
【技術分野】
【０００１】
本発明は、炊飯器に関する。
【背景技術】
【０００２】
過去に「鍋を収納する本体と、鍋の上面開口部を覆う蓋体と、蓋体の内面に着脱自在に配設された加熱板と、加熱板の外周を保持する加熱板支えと、蓋体に設けられるとともに本体に配設され回動操作されるフックレバーに係止するためのフック部と、フック部後部に備えられた当接片と、フック部概略中央に備えられた軸に設けられるとともにフック部先端を上方に回動付勢する付勢バネとを有し、加熱板未装着時には付勢バネによりフック部は先端を上方に回動してフックレバーとの係止が阻止され、かつ、加熱板装着時には加熱板支えが当接片を押圧してフック部をフックレバーに係止する炊飯器」が提案されている（例えば、特開２００４−２０２２７０号公報等参照）。
【先行技術文献】
【特許文献】
【０００３】
【特許文献１】特開２００４−２０２２７０号公報
【発明の概要】
【発明が解決しようとする課題】
【０００４】
ところで、通常、炊飯器の使用者は、加熱板を装着し忘れた場合であっても加熱板を装着した場合と同様の力で蓋体を閉めようとする。このように加熱板を装着し忘れた状態で通常の力で蓋体を閉めようとする動作が何度も繰り返されると、フック部自体が傷むだけでなくフック部の取付構造に歪が生じ得る。そうなると、蓋体が閉まりにくくなるだけでなく、炊飯器の外観を損なうおそれが生じる。そして、その歪が大きくなると、内鍋と蓋体との密着性が低下して炊飯中に水蒸気が漏れ出るおそれも生じ得る。
【０００５】
本発明は、内蓋を装着し忘れた状態で通常の力で蓋体を閉めようとする動作が何度も繰り返されても、係止構造に歪を生じさせるおそれが極めて低い内蓋装着忘れ防止機能付きの炊飯器を提供することである。
【課題を解決するための手段】
【０００６】
本発明に係る炊飯器は、本体、蓋体、内蓋、被係止部、係止機構および係止制御機構を備える。蓋体は、本体に対して開閉可能に取り付けられる。なお、この蓋体は、据付けであってもよいし、着脱可能であってもよい。内蓋は、蓋体の下面に着脱可能に装着される。被係止部は、蓋体に固定的に設けられる。係止機構は、本体に設けられる。そして、この係止機構は、被係止部を係止する。係止制御機構は、内蓋が蓋体に装着されていないときは係止機構による被係止部の係止を阻止する第一状態となり、内蓋が蓋体に装着されているときは係止機構による被係止部の係止を許容する第二状態となる。
【０００７】
この炊飯器では、フック部に相当する被係止部が蓋体に固定されており、被係止部とは別に係止制御機構が設けられている。このため、この炊飯器では、内蓋を装着し忘れた状態で通常の力で蓋体を閉めようとする動作が何度も繰り返されても、係止構造に直接的な影響が及ばず、係止構造に歪を生じさせるおそれが極めて低い。
【０００８】
なお、この炊飯器において、係止制御機構は、突出部を有することが好ましい。そして、係止制御機構は、第一状態では側面視において突出部を被係止部の前方および上方の少なくとも一方の方向に突出させる状態とし、第二状態では側面視において突出部を被係止部の前面および上面に重ならない位置まで退避させる状態とすることが好ましい。このようにすることにより、比較的簡素な構造で係止制御を実現することができるだけでなく、被係止部と突出部とによる二重係止状態の形成を防止することができるからである。
【０００９】
また、この炊飯器において、係止制御機構が第一状態となっている場合において係止機構が操作されても係止機構による被係止部の係止が阻止されることが好ましい。このようにすることにより、内蓋未装着炊飯の不都合を確実に排除することができるからである。
【図面の簡単な説明】
【００１０】
【図１】本発明の実施の形態に係る炊飯器の分解斜視図である。
【図２】本発明の実施の形態に係る炊飯器の縦断面図である。
【図３】本発明の実施の形態に係る炊飯器の蓋ヒータユニットの拡大斜視図である。
【図４】本発明の実施の形態に係る炊飯器の第１可動部から蓋ユニットを完全に引き抜いた状態の縦断面図である（ただし、係止制御機構は省略されている）。
【図５】本発明の実施の形態に係る炊飯器において内蓋が装着されずに蓋ユニットが閉状態とされようとしている状態の縦断面図である。
【図６】図５において蓋ユニットがさらに閉じられたときの状態の縦断面図である。
【図７】本発明の実施の形態に係る炊飯器において内蓋が装着されているときの蓋ユニットの斜視図である。
【図８】本発明の実施の形態に係る炊飯器において内蓋が装着されていないときの蓋ユニットの斜視図である。
【図９】本発明の実施の形態に係る炊飯器においてロックレバーがロック状態となっているときの本体ユニットの斜視図である。
【図１０】本発明の実施の形態に係る炊飯器においてロックレバーがロック解除状態となっているときの本体ユニットの斜視図である。
【図１１】変形例（Ｂ）に係る炊飯器の縦断面図である。
【図１２】変形例（Ｂ）に係る炊飯器において内蓋が装着されずに蓋ユニットが閉状態とされようとしている状態の縦断面図である。
【図１３】図１２において蓋ユニットがさらに閉じられたときの状態の縦断面図である。
【図１４】変形例（Ｃ）に係る炊飯器の縦断面図である。
【図１５】変形例（Ｃ）に係る炊飯器において内蓋が装着されずに蓋ユニットが閉状態とされようとしている状態の縦断面図である。
【図１６】図１５において蓋ユニットがさらに閉じられたときの状態の縦断面図である。
【発明を実施するための形態】
【００１１】
本発明の実施の形態に係る炊飯器１００は、図１および図２に示されるように、主に、本体ユニット２００、蓋ユニット３００、第１ヒンジ機構３５０、蓋ヒータユニット４００、第２ヒンジ機構４５０、内蓋５００および内鍋６００から構成される。以下、この炊飯器１００の構成部品について詳述する。
【００１２】
＜炊飯器の構成部品＞
１．本体ユニット
本体ユニット２００は、基本的に従来の炊飯器の本体ユニットと同様であって、図１および図２に示されるように、本体ケース２０１、ロックレバー機構２０７、ヒータ２０２、温度センサ２０４、室温センサ、操作パネル２０３、制御回路基板２０５および電源回路基板２０６等から構成される。なお、ヒータ２０２、温度センサ２０４、室温センサ、制御回路基板２０５、電源回路基板２０６等は本体ケース２０１に内蔵されており、操作パネル２０３は本体ケース２０１の前方上面等に配置されている。
【００１３】
ロックレバー機構２０７は、図１、図９および図１０に示されるように、主に、レバー部材２０７ａ、第１レバー回転軸２０７ｂおよびコイルバネ２０７ｃから構成されており、操作パネル２０３の後ろ斜め上方に配置されている。このロックレバー機構２０７では、レバー部材２０７ａが、幅方向に沿って延びる第１レバー回転軸２０７ｂに軸支されると共にコイルバネ２０７ｃによって後方に付勢されている。このため、通常、レバー部材２０７ａは前斜め上方に起立した状態となっているが（図９参照）、使用者によってレバー部材２０７ａが下方に押圧されると、レバー部材２０７ａがコイルバネ２０７ｃの付勢力に抗して回動して水平となる。なお、前者の状態がロックレバー機構２０７のロック状態（後述するフック部３０５が係止されている状態に限る）であり、後者の状態がロックレバー機構２０７のロック解除状態となる。
【００１４】
なお、後述するが、この本体ユニット２００の後方上面には、第１支持部３５１が固定されている（図１および図３参照）。
【００１５】
２．蓋ユニット
蓋ユニット３００は、図２および図４に示されるように、主に、蓋本体３０１、フック部３０５、係止制御機構３２０、装着部３０２および蒸気ユニット３１０から構成されている。以下、これらの構成要素について詳述する。
【００１６】
（１）蓋本体
蓋本体３０１は、図４に示されるように、主に、外蓋体３０１ａおよび内蓋体３０１ｂから構成されている。この蓋本体３０１の略中央には、蒸気ユニット３１０を着脱自在に収容するための貫通孔が形成されている。外蓋体３０１ａおよび内蓋体３０１ｂは、ビス（図示せず）等により一体的に固定されていると共にその間に断熱空間ＩＳを形成して外部への放熱を抑制している。また、内蓋体３０１ｂには、図１および図４に示されるように、露受け３０６が形成されている。この露受け３０６は、蓋ユニット３００が開かれるときに、内蓋５００の蒸気口部５０２の背面に生じ得る結露水が下にしたたり落ちないようにする役目を担っている。
【００１７】
（２）フック部
フック部３０５は、図７および図８に示されるように、一対の断面逆三角形の部位であって、蓋本体３０１の正面に固定的に配設されている。このフック部３０５は、上述の通り、ロックレバー機構２０７のレバー部材２０７ａに係止可能である。
【００１８】
（３）係止制御機構
係止制御機構３２０は、内蓋５００を装着することなく炊飯が行われることを未然に防止する機能（以下「内蓋装着忘れ防止機能」という）を実現するためのものであって、図２、図７および図８に示されるように、主に、係止制御片３２１、第２レバー回転軸３２２および「ねじりバネ」（図示せず）から構成されている。なお、ここでは、係止制御機構３２０の構造的な説明のみを行い、内蓋装着忘れ防止機能の詳細については後述する。
【００１９】
係止制御片３２１は、樹脂の一体成形品であって、図２に示されるように、主に、突出部３２１ａおよび当接レバー部３２１ｂから構成されている。そして、この係止制御片３２１は、当接レバー部３２１ｂが突出部３２１ａに対して約１２０°の角度をなすように形成されている。すなわち、この係止制御片３２１は、「へ」の字の断面形状を有する。突出部３２１ａは、略台形柱状の部位であって、一対のフック部３０５の間に設けられる開口を通って出没することができるように配設されている。当接レバー部３２１ｂは、内蓋５００の装着位置のフック部側に配置されている。
【００２０】
第２レバー回転軸３２２は、係止制御片３２１の突起片３２１ａと当接レバー３２１ｂとの付け根部分に形成される貫通孔に挿通されている。また、この第２レバー回転軸３２２の外周には、「ねじりバネ」が配置されている。
【００２１】
「ねじりバネ」には、第２レバー回転軸３２２が挿入されている。そして、この「ねじりバネ」は、図８に示されるように、側面視において係止制御片３２１の突出部３２１ａがフック部３０５の斜め上方に位置するように係止制御片３２１を付勢している。なお、このとき、係止制御片３２１の当接レバー部３２１ｂは、図５や図６に示されるように、後ろ斜め下を向いている。
【００２２】
（４）装着部
装着部３０２は、一対の平行な板部である。蓋ユニット３００が第１ヒンジ機構３５０に装着される際、この装着部３０２に、第１ヒンジ機構３５０の蓋ユニット着脱部３５２ｂ（後述）が差し込まれる。
【００２３】
なお、蓋ユニット３００は、第１ヒンジ機構３５０を介して本体ユニット２００に開閉自在に取り付けられている。また、この蓋ユニット３００は、全開状態において上方へ引き上げられることによって本体ユニット２００（より具体的には第１ヒンジ機構３５０の第１可動部３５２（図３参照））から脱離させることができるようになっている。このため、この蓋ユニット３００は、丸洗い等をすることができる。
【００２４】
（５）蒸気ユニット
蒸気ユニット３１０は、炊飯中に発生する水蒸気を大気に放出する役割を担うものであって、蓋本体３０１の貫通孔に着脱自在に収容される（図２および図４参照）。
【００２５】
３．第１ヒンジ機構
第１ヒンジ機構３５０は、図３および図４に示されるように、主に、第１支持部３５１、第１可動部３５２、第１回動軸３５３および「ねじりバネ」（図示せず）から構成されている。上述したように、第１支持部３５１は、本体ユニット２００の後方上面に固定されている。そして、この第１支持部３５１には、第１１軸受け部３５１ａが設けられている。また、第１可動部３５２は、図４に示されるように、断面略Ｌ字の部材であって、主に、第１２軸受け部３５２ａおよび蓋ユニット着脱部３５２ｂから形成されている。そして、第１２軸受け部３５２ａおよび第１支持部３５１の第１１軸受け部３５１ａには、第１回動軸３５３が挿通されている。すなわち、この第１可動部３５２は、第１回動軸３５３により回動自在に第１支持部３５１に装着されている。蓋ユニット着脱部３５２ｂには、蓋ユニット３００が着脱自在に取り付けられる。また、第１回動軸３５３の外周には「ねじりバネ」が配置されている。その「ねじりバネ」は、第１可動部３５２を後方に付勢している。すなわち、通常使用状態においてロックレバー機構２０７がロック状態からロック解除状態になると、蓋ユニット３００が自動的に後方に持ち上げられる。
【００２６】
４．蓋ヒータユニット
蓋ヒータユニット４００は、図３および図４に示されるように、略円環状の部材であって、主に、ヒータ４０１、放熱板４０３、断熱材４０２および背面板４０４から構成される。ヒータ４０１は、渦巻き状の加熱線であって、通電されることにより発熱する。放熱板４０３は、略円環状の金属板であって、ヒータ４０１から生じる熱を均一化して内鍋６００に供給する役目を担う。断熱材４０２は、略円環状の発泡体等であって、ヒータ４０１の蓋ユニット側に取り付けられており、ヒータ４０１から生じる熱が蓋ユニット３００に伝達されないようにする役目を担っている。背面板４０４は、放熱板４０３と共同してヒータ４０１および断熱材４０２を密封する。なお、この蓋ヒータユニット４００の内孔には、図１に示されるように、後述する内蓋５００の蒸気口部５０２が挿入される。
【００２７】
５．第２ヒンジ機構
第２ヒンジ機構４５０は、図３に示されるように、主に、第２支持部４５１、第２可動部４５２および第２回動軸４５３から構成されている。なお、この第２ヒンジ機構４５０の幅寸法は、図３に示されるように第１ヒンジ機構３５０の幅寸法よりも小さい。第２支持部４５１は、図３に示されるように、第１ヒンジ機構３５０の第１可動部３５２に固定されている。そして、この第２支持部４５１には、第２１軸受け部４５１ａが設けられている。また、第２可動部４５２は、図３および図４に示されるように、略板状の部材であって、主に、第２２軸受け部４５２ａ、蓋ヒータユニット固定部４５２ｂおよび起上りリブ４５２ｃから形成されている。そして、第２２軸受け部４５２ａおよび第２支持部４５１の第２１軸受け部４５１ａには、第２回動軸４５３が挿通されている。すなわち、この第２可動部４５２は、第２回動軸４５３により回動自在に第２支持部４５１に装着されている。蓋ヒータユニット固定部４５２ｂには、図３に示されるように、蓋ヒータユニット４００が固定されている。起上りリブ４５２ｃは、図４に示されるように、第２２軸受け部４５２ａの背面側に形成されており、蓋ユニット３００の装着時において蓋ユニット３００の後端により押圧されているが、蓋ユニット３００の脱離時にその押圧から解放される。すなわち、この起上りリブ４５２ｃが蓋ユニット３００の後端によって押圧されると、蓋ヒータユニット固定部４５２ｂが背面側に起き上がる。つまり、蓋ユニット３００が第１可動部３５２の蓋ユニット着脱部３５２ｂに装着されると、蓋ヒータユニット４００が背面側に起き上がる。一方、蓋ユニット３００が第１可動部３５２の蓋ユニット着脱部３５２ｂから取り外されると、蓋ヒータユニット４００が自然に前面側に倒れこむ（図３参照）。なお、これは、側面視において、蓋ヒータユニット４００の重心位置が第２回動軸４５３よりも前方に設定されていることに起因する。
【００２８】
なお、この第２ヒンジ機構４５０は、図２に示されるように、蓋ユニット３００が全閉状態であるときにヒータ４０１および放熱板４０３が第２回動軸４５３の下方に位置するように設計されている。
【００２９】
また、第２ヒンジ機構４５０の第２回動軸４５３は、蓋ユニット３００の全閉状態において第１ヒンジ機構３５０の第１回動軸３５３の前方斜め上に位置し（図２参照）、蓋ユニット３００の全開状態において第１ヒンジ機構３５０の第１回動軸３５３の後方斜め上に位置する。すなわち、第１ヒンジ機構３５０の第１回動軸３５３を基準として見た場合、「蓋ユニット３００が全閉状態から全開状態となるとき」又は「蓋ユニット３００が全開状態から全閉状態となるとき」、第２ヒンジ機構４５０の第２回動軸４５３は、第１回動軸３５３を中心とする円弧軌道に沿って移動することとなる。
【００３０】
６．内蓋
内蓋５００は、図１に示されるように、略円環状の部材であって、内蓋本体５０１および蒸気口部５０２から構成される。内蓋本体５０１は、略円環状の金属部材である。蒸気口部５０２は、略円筒形の弾性部材であって、図１に示されるように、内蓋本体５０１の内孔に配置されている。また、この蒸気口部５０２の上端部はパッキンとして機能する。
【００３１】
７．内鍋
内鍋６００は、例えばアルミニウム等の熱伝導性の良好な材料から形成されており、本体ユニット２００の内鍋収容室（図示せず）に着脱自在に収容される。
【００３２】
＜内蓋装着忘れ防止機能＞
蓋ユニット３００に内蓋５００が装着されていない場合、「ねじりバネ」によって係止制御片３２１の突出部３２１ａがフック部３０５の斜め上方に位置するように（側面視においてフック部３０５の上部空間を閉塞するように）係止制御片３２１が付勢される（図５、図６および図８参照）。そして、使用者がこの状態で蓋ユニット３００を閉めようとしても、図５および図６に示されるように突出部３２１ａがロックレバー機構２０７のレバー部材２０７ａに当接して、レバー部材２０７ａによるフック部３０５の係止が完全に阻止される。なお、使用者がレバー部材２０７ａを下方に押圧した状態で、蓋ユニット３００を閉めようとしても、フック部３０５と突出部３２１ａとの位置関係、突出部３２１ａの突出長さ、レバー部材２０７ａの回動角度規制等の要因からフック部３０５がレバー部材２０７ａに係止されることは決してない。
【００３３】
一方、蓋ユニット３００に内蓋５００が装着されるとき、内蓋５００の一部が係止制御片３２１の当接レバー部３２１ｂに当接し、「ねじりバネ」の付勢力に抗して当接レバー部３２１ｂが奥側に押し込まれる。そうすると、係止制御片３２１の突出部３２１ａは必然的に後方に向かって回動させられる。その結果、突出部３２１ａは、図７に示されるように、側面視においてフック部３０５の前面および上面に重ならない位置まで退避させられる。そして、使用者がこの状態で蓋ユニット３００を閉めようとすると、フック部３０５がレバー部材２０７ａに当接した後にレバー部材２０７ａを下方に押圧して、レバー部材２０７ａを一定角度回動させる。そして、フック部３０５の上面がレバー部材２０７ａの下方に移動すると、フック部３０５がロックレバー機構２０７に係止されて、図２および図７に示される状態となる。
【００３４】
すなわち、この炊飯器１００では、使用者が内蓋５００の装着を忘れると、蓋ユニット３００が閉まらず、使用者に内蓋５００の装着を促すことができる。
【００３５】
＜本発明の実施の形態に係る炊飯器の特徴＞
（１）
本発明の実施の形態に係る炊飯器１００では、係止制御機構３２０により使用者が内蓋５００の装着を忘れると、蓋ユニット３００が閉まらず、使用者に内蓋５００の装着を促すことができる。
【００３６】
（２）
本発明の実施の形態に係る炊飯器１００では、フック部３０５が蓋ユニット３００に固定的に配設されており、フック部３０５とは別に係止制御機構３２０が設けられている。このため、この炊飯器１００では、内蓋５００を装着し忘れた状態で通常の力で蓋ユニット３００を閉めようとする動作が何度も繰り返されても、係止構造に直接的な影響が及ばず、係止構造に歪を生じさせるおそれが極めて低い。
【００３７】
（３）
本発明の実施の形態に係る炊飯器１００では、蓋ユニット３００に内蓋５００が装着されると、突出部３２１ａが、側面視においてフック部３０５の前面および上面に重ならない位置まで退避させられる。このため、この炊飯器１００では、フック部３０５と、係止制御片３２１の突出部３２１ａとによる二重係止状態の形成を防止することができる。
【００３８】
（４）
本発明の実施の形態に係る炊飯器１００では、使用者がレバー部材２０７ａを下方に押圧した状態で、蓋ユニット３００を閉めようとしても、フック部３０５と突出部３２１ａとの位置関係、突出部３２１ａの突出長さ、レバー部材２０７ａの回動角度規制等の要因からフック部３０５がレバー部材２０７ａに係止されることは決してない。このため、この炊飯器１００では、内蓋未装着炊飯の不都合を確実に排除することができる。
【００３９】
＜変形例＞
（Ａ）
先の実施の形態に係る炊飯器１００では回動式のロックレバー機構２０７が採用されたが、スライド式のロックレバー機構が採用されてもよい。
【００４０】
（Ｂ）
先の実施の形態に係る炊飯器１００では回動式の係止制御機構３２０が採用されたが、図１１〜１３に示されるようなスライド式の係止制御機構３３０が採用されてもよい。なお、図１１〜１３に示される炊飯器１００Ａにおいて係止制御機構３３０以外の構成は全て先の実施の形態に係る炊飯器１００と同一であるため、係止制御機構３３０以外の構成については先の実施の形態で使用した符号と同一の符号を上記図面に付してその説明を省略する。
【００４１】
本変形例に係る係止制御機構３３０は、上述の通り、スライド式の係止制御機構であって、図１１〜１３に示されるように、主に、係止制御片３３１およびコイルバネ３３３から構成されている。
【００４２】
係止制御片３３１は、樹脂の一体成形品であって、図１１〜１３に示されるように、主に、突出部３３１ａ、スライドレバー部３３１ｂおよび開口部３３１ｃから構成されている。突出部３３１ａとスライドレバー部３３１ｂとは、図１１〜１３に示されるように、開口部３３１ｃを介して接合されている。突出部３３１ａは、略四角柱状の部位であって、一対のフック部３０５の間に設けられる開口を通って出没することができるように配設されている。スライドレバー部３３１ｂは、傾斜面Ｓを有する部位であって、内蓋５００の装着位置のフック部側に配置されている。なお、傾斜面Ｓは、開口部側から後端に向かうに従って下方に傾斜している。開口部３３１ｃは、枠状の部位であって、開口ＯＰを有する
【００４３】
コイルバネ３３３は、側面視において係止制御片３３１の突出部３３１ａがフック部３０５の前方に位置するように（側面視においてフック部３０５の上部空間を閉塞するように）係止制御片３３１を付勢している。
【００４４】
そして、この炊飯器１００Ａでは、蓋ユニット３００に内蓋５００が装着されていない場合、コイルバネ３３３によって係止制御片３３１の突出部３３１ａがフック部３０５の前方に位置するように係止制御片３３１が付勢される（図１２および図１３参照）。そして、使用者がこの状態で蓋ユニット３００を閉めようとしても、図１２および図１３に示されるように突出部３３１ａがロックレバー機構２０７のレバー部材２０７ａに当接して、レバー部材２０７ａによるフック部３０５の係止が完全に阻止される。なお、使用者がレバー部材２０７ａを下方に押圧した状態で、蓋ユニット３００を閉めようとしても、フック部３０５と突出部３３１ａとの位置関係、突出部３３１ａの突出長さ、レバー部材２０７ａの回動角度規制等の要因からフック部３０５がレバー部材２０７ａに係止されることは決してない。
【００４５】
一方、蓋ユニット３００に内蓋５００が装着されるとき、内蓋５００の突起部５０５が係止制御片３３１のスライドレバー部３３１ｂの傾斜面Ｓに当接して、係止制御片３３１がコイルバネ３３３の付勢力に抗して奥側（後方）に引き込まれ、最後には開口部３３１ｃの開口ＯＰに内蓋５００の突起部５０５が収容される。その結果、突出部３３１ａは、図１１に示されるように、側面視においてフック部３０５の前面および上面に重ならない位置まで退避させられる。そして、使用者がこの状態で蓋ユニット３００を閉めようとすると、フック部３０５がレバー部材２０７ａに当接した後にレバー部材２０７ａを下方に押圧して、レバー部材２０７ａを一定角度回動させる。そして、フック部３０５の上面がレバー部材２０７ａの下方に移動すると、フック部３０５がロックレバー機構２０７に係止されて、図１１に示される状態となる。
【００４６】
（Ｃ）
先の実施の形態に係る炊飯器１００では回動式の係止制御機構３２０が採用されたが、図１４〜１６に示されるようなシャッター式の係止制御機構３４０が採用されてもよい。なお、図１４〜１６に示される炊飯器１００Ｂにおいて係止制御機構３４０以外の構成は全て先の実施の形態に係る炊飯器１００と同一であるため、係止制御機構３４０以外の構成については先の実施の形態で使用した符号と同一の符号を上記図面に付してその説明を省略する。
【００４７】
本変形例に係る係止制御機構３４０は、上述の通り、シャッター式の係止制御機構であって、図１４〜１６に示されるように、主に、係止制御片３４１、シャッター３４２およびコイルバネ３４３から構成されている。
【００４８】
係止制御片３４１は、樹脂の一体成形品であって、図１４〜１６に示されるように、主に、突出部３４１ａおよび被案内部３４１ｂから構成されている。被案内部３４１ｂは、図１４〜１６に示されるように、突出部３４１ａの後方に接合されている。突出部３４１ａは、略四角柱状の部位であって、一対のフック部３０５の間に設けられる開口を通って出没することができるように配設されている。被案内部３４１ｂは、蓋ユニット３００に設けられる案内部（図示せず）に対して、前後方向のスライド移動が可能となるように嵌め込まれている。
【００４９】
コイルバネ３４３は、係止制御片３４１の後方にシャッター３４２が存在するようにシャッター３４２を下方に向かって付勢している。
【００５０】
そして、この炊飯器１００Ｂでは、蓋ユニット３００に内蓋５００が装着されていない場合、コイルバネ３４３によって、係止制御片３４１の後方にシャッター３４２が配置させられる（図１５および図１６参照）。そして、使用者がこの状態で蓋ユニット３００を閉めようとしても、図１５および図１６に示されるように係止制御片３４１の後方への移動がシャッター３４２に規制され、突出部３４１ａがフック部３０５の前方に突出したままの状態が維持され、レバー部材２０７ａによるフック部３０５の係止が完全に阻止される。なお、使用者がレバー部材２０７ａを下方に押圧した状態で、蓋ユニット３００を閉めようとしても、フック部３０５と突出部３４１ａとの位置関係、突出部３４１ａの突出長さ、レバー部材２０７ａの回動角度規制等の要因からフック部３０５がレバー部材２０７ａに係止されることは決してない。
【００５１】
一方、蓋ユニット３００に内蓋５００が装着されるとき、内蓋５００の突起部５０５ａがシャッター３４２の下面に当接して、シャッター３４２がコイルバネ３４３の付勢力に抗して上方に押し上げられ、最後には係止制御片３４１の後方に開口が形成される。そして、使用者がこの状態で蓋ユニット３００を閉めようとすると、係止制御片３４１がレバー部材２０７ａに当接して蓋ユニット内部に後退した後、フック部３０５がレバー部材２０７ａに当接する。その後、フック部３０５がレバー部材２０７ａを下方に押圧して、レバー部材２０７ａを一定角度回動させる。そして、フック部３０５の上面がレバー部材２０７ａの下方に移動すると、フック部３０５がロックレバー機構２０７に係止されて、図１６に示される状態となる。
【００５２】
（Ｄ）
先の実施の形態では本発明が蓋ヒータ付の炊飯器１００に適用されたが、本発明は、本発明の趣旨を損なわない限りあらゆるタイプの炊飯器に適用可能である。
【符号の説明】
【００５３】
１００      炊飯器
２００      本体ユニット（本体）
２０７      ロックレバー機構（係止機構）
３００      蓋ユニット（蓋体）
３０５      フック部（被係止部）
３２０，３３０，３４０      係止制御機構
３２１ａ，３３１ａ，３４１ａ      突出部
５００      内蓋
【図１】
2014209984.tif 000003
【図２】
2014209984.tif 000004
【図３】
2014209984.tif 000005
【図４】
2014209984.tif 000006
【図５】
2014209984.tif 000007
【図６】
2014209984.tif 000008
【図７】
2014209984.tif 000009
【図８】
2014209984.tif 000010
【図９】
2014209984.tif 000011
【図１０】
2014209984.tif 000012
【図１１】
2014209984.tif 000013
【図１２】
2014209984.tif 000014
【図１３】
2014209984.tif 000015
【図１４】
2014209984.tif 000016
【図１５】
2014209984.tif 000017
【図１６】
2014209984.tif 000018